(57)【要約】【課題】吸込パネル一端の支軸を回動自在に枢支する枢支部と、他端の係止片を係脱可能に係止する係止部を備えたフレームをメインパネルの両側部に設けることにより、メインパネル用の金型構造を簡略化してコストダウンをはかり強度を増強できるようにした空気調和機を提供する。【解決手段】吸込パネル７を備え、本体６に被着されるメインパネル８と、同メインパネル８の両側部に設けられ、前記吸込パネル７の一端に設けた支軸１１を回動自在、着脱自在に枢支する枢支部１２と、他端に設けられた係止片１３を係脱可能に係止する係止部１４とを備えたフレーム１５と、吹出口２に対応して被着される吹出パネル１０と、両側面に被着される側面パネル１６とが被着される空気調和機であって、前記係止片１３が前記係止部１４から離脱し、前記支軸１１が前記枢支部１２から離脱することにより、前記吸込パネル７が前記メインパネル８から取り外される。【選択図】  図１
2005024146.tif 000002
【特許請求の範囲】
【請求項１】
吸込口と吹出口とを備えた本体と、前記吸込口に対応する吸込パネルを備え、本体に被着されるメインパネルと、同メインパネルの両側部に設けられ、前記吸込パネルの一端に設けられた支軸を回動自在に、且つ着脱自在に枢支する枢支部と、他端に設けられた係止片を係脱可能に係止する係止部とを備えたフレームと、前記吹出口に対応して被着される吹出パネルと、両側面に被着される側面パネルとからなり、天井面に吊下げまたは床面上に設置される空気調和機であって、
前記係止片が前記係止部から離脱し、前記支軸が前記枢支部から離脱することにより、前記吸込パネルが前記メインパネルから取り外されるようにしてなることを特徴とする空気調和機。
【請求項２】
前記フレームに、前記側面パネルを係脱可能に係合する係合部が設けられてなることを特徴とする請求項１に記載の空気調和機。
【発明の詳細な説明】
【０００１】
【発明の属する技術分野】
本発明は、ダクトタイプの空気調和機をベースとして種々の形態を構成できるようにした空気調和機に係わり、より詳細には、吸込パネル一端の支軸を回動自在に枢支する枢支部と、他端の係止片を係脱可能に係止する係止部を備えたフレームをメインパネルの両側部に設けることにより、メインパネル用の金型構造を簡略化してコストダウンをはかり強度を増強できるようにした構造に関する。
【０００２】
【従来の技術】
従来の空気調和機には、空気調和する建物や部屋の状況に合わせたシステムとして選択的に使用できるようにし、使用者の利便性を高めるようにしたものとして、天井埋込型空気調和装置の吸込口を、パネル仕様とダクト仕様に共通して使用できる構造にすることにより、一つの共通構造の空気調和機でダクト仕様にもパネル仕様にも使用できるような天井埋込型空気調和装置を提供し、製造、流通コスト面からも使用者の便宜を図るようにすることを目的としたものがあった（例えば、特許文献１参照。）。
【０００３】
しかしながら、上記構成でなる天井埋込型空気調和装置は、所謂コンシールドタイプとして天井裏に下面吹出しまたは前面吹出しで設置できるようにしたり、または、側面パネルも被着することによって天井面に吊下設置できるようにしたり、もしくは、床面上にも設置できるようにしたものではなかった。
【０００４】
また、メインパネルは、合成樹脂によって金型成形される際、例えば吸込パネル（吸込グリル）の一端に設けた支軸を回動自在に枢支し、他端に設けた係止片を係脱自在に係止して着脱可能に被着できるようにするため充分な強度をもたせる必要があることから、コスト的には不利になってしまうという問題点を有していた。
【０００５】
【特許文献１】
特開２０００−３０４２９８号公報（第２頁、第１図乃至第４図）
【０００６】
【発明が解決しようとする課題】
本発明においては、上記の問題点に鑑み、吸込パネル一端の支軸を回動自在に枢支する枢支部と、他端の係止片を係脱可能に係止する係止部を備えたフレームをメインパネルの両側部に設けることにより、メインパネル用の金型構造を簡略化してコストダウンをはかり強度を増強できるようにした空気調和機を提供することを目的とする。
【０００７】
【課題を解決するための手段】
本発明は、上記課題を解決するため、吸込口と吹出口とを備えた本体と、前記吸込口に対応する吸込パネルを備え、本体に被着されるメインパネルと、同メインパネルの両側部に設けられ、前記吸込パネルの一端に設けられた支軸を回動自在に、且つ着脱自在に枢支する枢支部と、他端に設けられた係止片を係脱可能に係止する係止部とを備えたフレームと、前記吹出口に対応して被着される吹出パネルと、両側面に被着される側面パネルとからなり、天井面に吊下げまたは床面上に設置される空気調和機であって、
前記係止片が前記係止部から離脱し、前記支軸が前記枢支部から離脱することにより、前記吸込パネルが前記メインパネルから取り外されるようにしてなる構成となっている。
【０００８】
また、前記フレームに、前記側面パネルを係脱可能に係合する係合部が設けられてなる構成となっている。
【０００９】
【発明の実施の形態】
以下、本発明の実施の形態を図面に基づいた実施例として詳細に説明する。
図１は本発明による空気調和機の説明図で、（Ａ）は斜視図、（Ｂ）は断面図であり、図２は本発明による空気調和機の分解斜視図であり、図３は本発明による空気調和機の第一の実施例を示す斜視図であり、図４は本発明による空気調和機の説明図で、（Ａ）は第二の実施例を示す斜視図、（Ｂ）は第三の実施例を示す斜視図であり、図５は第三の実施例の要部斜視図であり、図６は第四の実施例の斜視図であり、図７は吹出パネルおよびメインパネルの説明図で、（Ａ）はこれらを平面的に被着した状態を示す斜視図、（Ｂ）は図７（Ａ）で示すａ部および図８で示すｂ部の断面図であり、図８は吹出パネルとメインパネルとを平面的に被着し吸込パネルを取り外した状態を示す斜視図であり、図９は吹出パネルとメインパネルとを直角的に被着した状態を示す要部説明図で、（Ａ）はこれら吹出パネルおよびメインパネルにフレームを取り付けた状態を示す斜視図、（Ｂ）はフレームがねじ締めされる状態を示す平面図であり、図１０は吸込パネルおよびフレームを示す斜視図であり、図１１は吸込パネルの一端に設けた支軸を枢支する枢支部の説明図で、（Ａ）は斜視図、（Ｂ）は断面図であり、図１２は側面パネルの取付状態を示す要部説明図で、（Ａ）は斜視図、（Ｂ）は（Ａ）で示すｃ部の断面図である。
【００１０】
ダクトタイプの空気調和機をベースとして種々の形態を構成できるようにした本発明による空気調和機は、図で示すように、一面に吸込口１を備え、他面に吹出口２を備え、これら吸込口１と吹出口２とを結ぶ空気通路に、フィルタ３、熱交換器４および送風機５を配設して本体６が構成されており、前記フィルタ３は、前記吸込口１に臨ませるように着脱可能に設けられた構成になっている。
【００１１】
前記本体６の一面には、前記吸込口１に対応する吸込パネル７を備えたメインパネル８が被着され、同メインパネル８の両側部には、図１１（Ａ）および図１１（Ｂ）と、図７（Ａ）および図７（Ｂ）と、図８とで示すように、前記吸込パネル７の一端に設けられた支軸１１を回動自在に、且つ着脱自在に枢支する枢支部１２と、他端に設けられた係止片１３を係脱可能に係止する係止部１４とを備えたフレーム１５が設けられ、前記本体６の他面には、前記吹出口２に対応する吹出グリル９を備えた吹出パネル１０が被着され、前記本体６の両側面には、図２で示すように、側面パネル１６が夫々被着されるようになっている。
【００１２】
前記吸込パネル７は、前記メインパネル８に回動可能であって、且つ着脱可能に設けられる吸込グリルからなり、前記吹出グリル９は、前記吹出パネル１０に着脱可能に設けられた構成になっており、前記フィルタ３は、例えば清掃時に、前記係止片１３を前記係止部１４から離脱させ、図１１（Ｂ）で示すように、前記枢支部１２を中心に前記吸込パネル７を回動させることによって着脱できるようになっている。
【００１３】
また、図４（Ａ）で示すように、前記メインパネル８と、前記吹出パネル１０とが同一平面状に被着された際、前記吹出口２に連通して風向を偏向するチャンバー１７が設けられることによって、前記熱交換器４で熱交換された空気を偏向させて前記吹出グリル９に効率よく送出できるようになっている。
【００１４】
上記構成により、前記本体６を天井面Ａ、天井裏もしくは床面Ｂ上に設置する際、その設置形態に応じて上記構成でなる部材の全部もしくは一部を適宜組み合わせるようにすればよい。
【００１５】
すなわち、設置形態に応じて、上記構成でなる部材の全部もしくは一部を適宜組み合わせることにより、図４（Ａ）で示すように、所謂コンシールドタイプとして天井裏に下面吹出しの形態で設置できるように、または図４（Ｂ）および図５で示すように、前面吹出しの形態で設置できるようにしたり、また図３で示すように、前記側面パネル１６も被着することによって天井面Ａに吊下設置できるようにしたり、もしくは図６で示すように、床面Ｂ上にも設置できるようにしてもよい。
【００１６】
そして、前記メインパネル８と前記吹出パネル１０とを本体６に同一平面状に、または直交させるように被着する一方、前記吸込パネル７が、図７（Ａ）および図７（Ｂ）と、図８とで示すように、前記係止片１３を前記係止部１４から離脱させて前記枢支部１２を中心に回動し、前記支軸１１を前記枢支部１２から離脱させて取り外しできるようになって、前記メインパネル８は、合成樹脂によって金型成形される際、同メインパネル８の両側部に前記フレーム１５が設けられることで、とくに同メインパネル８の全体構造を厚肉形状に形成しなくても充分な強度をもたせることができるようになる。
【００１７】
これによって、前記メインパネル８の軽量化をはかることができると共に、同メインパネル８の成形時に使用される素材を節減できることからコスト的に有利な構成となる。
【００１８】
なお、前記係止片１３は、図７（Ａ）および図７（Ｂ）で示すように、前記係止部１４に対向し前記吸込パネル７の内側に突出するように形成される一方、外面には、指先を掛けることによって前記係止片１３を前記係止部１４から離脱させることができるようにするための凹部１３ａ  が形成されている。
【００１９】
また、前記吹出パネル１０は、図４（Ａ）で示すように、前記メインパネル８と平面的に設置するとき前端に行くにしたがって低く傾斜し、図４（Ｂ）および図５で示すように、前記メインパネル８と直交させるように被着するとき反転させることにより前端に行くにしたがって高く傾斜する傾斜面を表面に備え、図１（Ｂ）で示すように、風向を偏向する風向偏向板ｂを内側に備えると共に、同風向偏向板ｂには駆動装置ａが連係された構成になっているので、前記熱交換器４で熱交換された吹出空気流を、前記風向偏向板ｂによって効果的に偏向させることができるようになり、また、前記吹出パネル１０の傾斜面に沿わせることにより空気抵抗を少なくした状態で吹き出せるようになっている。
【００２０】
次に、設置形態に応じて、上記構成でなる部材の全部もしくは一部を適宜組み合わせる構成について説明する。
【００２１】
例えば、図３で示す第一の実施例のように、前記本体６に対し、前記メインパネル８と前記吹出パネル１０とを直交させるようにに被着すると共に、前記側面パネル１６を被着することによって天井面Ａに吊下げることができる構成になる。
【００２２】
前記側面パネル１６は、図１２（Ａ）および図１２（Ｂ）で示すように、その下端部に突設されたＬ字状の係合片１６ａ  が、同係合片１６ａ  に対応して前記フレーム１５に設けられた係合穴１５ａ  の周縁に係合するようになっており、これによって、前記係合穴１５ａ  の周縁に前記係合片１６ａ  を係合し、位置決めしたのち前記本体６にねじ締め固定できるので、ねじ締め箇所を減らして効率よく被着できるようになっている。
【００２３】
また、図４（Ａ）で示す第二の実施例のように、天井面Ａに前記メインパネル８および前記吹出パネル１０に対応する開口部１８を形成する一方、前記本体６に前記チャンバー１２を接続すると共に、同チャンバー１２を臨ませた前記吹出グリル９を備えた前記吹出パネル１０と、前記吸込パネル７を備えた前記メインパネル８とを前記本体６に被着することにより、下面吹出型として天井裏に設置するのに好適な構成になる。
【００２４】
また、図４（Ｂ）および図５で示す第三の実施例のように、天井面Ａに前記メインパネル８に対応する第一開口部１９を形成すると共に、天井裏の前面壁に前記吹出パネル１０に対応する第二開口部２０を形成する一方、前記吹出グリル９を備えた前記吹出パネル１０と、前記吸込パネル７を備えた前記メインパネル８とを前記本体６に直交させるように被着することにより、前面吹出型として天井裏に設置するのに好適な構成になる。
【００２５】
また、図６で示す第四の実施例のように、前記本体６に対し、前記メインパネル８と前記吹出パネル１０とを直角的に被着すると共に、前記側面パネル１６を被着した状態で床面Ｂ上に設置できる構成になる。
【００２６】
なお、前記吹出パネル１０を前記メインパネル８に対し直角的に被着する場合には、図１（Ｂ）で示すように、前記吹出口２の下端部に設けられ、断面Ｌ字状のフランジｃの垂直部ｃ２に備えた取付穴を通したねじｅを、前記吹出パネル１０の前端側に備えたボスｄに螺着するようになっており、平面的に被着する場合には、前記フランジｃの水平部ｃ１に備えた取付穴を通したねじｅを、反転した前記吹出パネル１０の後端側に備えたボスｄに螺着するようになっている。
【００２７】
【発明の効果】
以上説明したように、本発明によれば、吸込パネル一端の支軸を回動自在に枢支する枢支部と、他端の係止片を係脱可能に係止する係止部を備えたフレームをメインパネルの両側部に設けることにより、同メインパネルの軽量化をはかると共に成形用の金型構造を簡略化してコストダウンをはかり、強度を増強できるようにした空気調和機となる。
【図面の簡単な説明】
【図１】本発明による空気調和機の説明図で、（Ａ）は斜視図であり、（Ｂ）は断面図である。
【図２】本発明による空気調和機の分解斜視図である。
【図３】本発明による空気調和機の第一の実施例を示す斜視図である。
【図４】本発明による空気調和機の説明図で、（Ａ）は第二の実施例を示す斜視図であり、（Ｂ）は第三の実施例を示す斜視図である。
【図５】本発明による空気調和機の第三の実施例の要部斜視図である。
【図６】本発明による空気調和機の第四の実施例の斜視図である。
【図７】本発明による空気調和機の吹出パネルおよびメインパネルの説明図で、（Ａ）はこれらを平面的に被着した状態を示す斜視図であり、（Ｂ）は図７（Ａ）で示すａ部および図８で示すｂ部の断面図である。
【図８】本発明による空気調和機の吹出パネルとメインパネルとを平面的に被着し吸込パネルを取り外した状態を示す斜視図である。
【図９】本発明による空気調和機の吹出パネルとメインパネルとを直角的に被着した状態を示す要部説明図で、（Ａ）はこれら吹出パネルおよびメインパネルにフレームを取り付けた状態を示す斜視図であり、（Ｂ）はフレームがねじ締めされる状態を示す平面図である。
【図１０】本発明による空気調和機の吸込パネルおよびフレームを示す斜視図である。
【図１１】本発明による空気調和機の吸込パネルの一端に設けた支軸を枢支する枢支部の説明図で、（Ａ）は斜視図であり、（Ｂ）は断面図である。
【図１２】本発明による空気調和機の側面パネルの取付状態を示す要部説明図で、（Ａ）は斜視図であり、（Ｂ）は（Ａ）で示すｃ部の断面図である。
【符号の説明】
１  吸込口
２  吹出口
３  フィルタ
４  熱交換器
５  送風機
６  本体
７  吸込パネル
８  メインパネル
９  吹出グリル
１０  吹出パネル
１１  支軸
１２  枢支部
１３  係止片
１３ａ  凹部
１４  係止部
１５  フレーム
１５ａ  係合部
１６  側面パネル
１６ａ  係合片
１７  チャンバー
Ａ  天井面
Ｂ  床面
ａ  駆動装置
ｂ  風向偏向板
ｃ  フランジ
ｃ１  水平部
ｃ２  垂直部
ｄ  ボス
ｅ  ねじ
【図１】
2005024146.tif 000003
【図２】
2005024146.tif 000004
【図３】
2005024146.tif 000005
【図４】
2005024146.tif 000006
【図５】
2005024146.tif 000007
【図６】
2005024146.tif 000008
【図７】
2005024146.tif 000009
【図８】
2005024146.tif 000010
【図９】
2005024146.tif 000011
【図１０】
2005024146.tif 000012
【図１１】
2005024146.tif 000013
【図１２】
2005024146.tif 000014